(57)【要約】【課題】最小限の木材の切削量で取り付けることが可能な連結用受け金具の提供および木材の連結方法を提供すること。【解決手段】  木材連結用の受け金具１であって、木材の表面に設けた凹部１６に装着される装着部２と、当該装着部２に対して立設した受け板部３を有し、前記装着部３は、中央に表裏貫通した孔部８を設けた底壁部５と当該底壁部５の外縁全周に亘って立設した側壁部６を有し、前記受け板部３は、締結に使用する連結用のピンを固定位置まで案内する溝７と、締結に使用する軸部材を挿通させる孔８を有したことを特徴とする木材連結用の受け金具。【選択図】図１
2018012935.tif 000002
【特許請求の範囲】
【請求項１】
木材の表面に設けた凹部に装着される装着部と、当該装着部に対して立設した受け板部を有し、
前記装着部は、中央に表裏貫通した孔部を設けた底壁部と当該底壁部の外縁全周に亘って立設した側壁部を有し、
前記受け板部は、締結に使用する連結用のピンを固定位置まで案内する溝と、締結に使用する軸部材を挿通させる孔を有したことを特徴とする木材連結用の受け金具。
【請求項２】
木材の表面に設けた凹部に装着される装着部と、当該装着部に対して立設した受け板部を有し、
前記装着部は、底壁部と当該底壁部の外縁全周に亘って立設した側壁部を有したものであって、底壁部は木材の反対側から貫通孔を介して突出させた連結棒の先端を固定する固定手段を設けたものであり、
前記受け板部は、締結に使用する連結用のピンを固定位置まで案内する溝と、締結に使用する軸部材を挿通させる孔を有したことを特徴とする木材連結用の受け金具。
【請求項３】
前記装着部は、円筒状を成していることを特徴とする請求項１又は請求項２記載の木材連結用の受け金具
【請求項４】
建築物の施工方法であって、
木材の連結に請求項１乃至請求項３の何れか一項に記載の連結用の受け金具を用いたことを特徴とする建物の軸組工法若しくは枠組壁工法を用いた建築物の施工方法。
【請求項５】
所定形状に打ち抜いた金属板を、プレス加工によって折り曲げることにより形成する木材連結用の受け金具の製造方法であって、
前記打ち抜いた金属板を山折りに折り曲げて重ね合わせることにより板状の受け板部を形成可能とし、
前記受け板部に連続する部位をプレス加工することによって、木材に形成した凹部に装着可能な筒状の装着部を形成可能としたことを特徴とする連結用受け金具の製造方法。
【請求項６】
中央に表裏貫通した孔部若しくは固定に使用する連結棒の固定手段を設けた底壁部と、当該底壁部の外縁全周に亘って立設した側壁部を有する装着部と、当該装着部に対して立設した締結に使用する連結用のピンを固定位置まで案内する溝と、締結に使用する軸部材を挿通させ支持する孔を有した受け板部を有した木材連結用の受け金具を、結合する一方の木材の表面に形成した凹部に装着するとともに、
結合する他方の木材に、前記受け板部を挿通させるスリットを形成するとともに、当該スリット内を横断するように前記溝に案内されるピンを懸架し、
前記スリットに挿通させた受け板部の孔に挿通させる軸部材を設けたことを特徴とする木材の連結方法。
【請求項７】
互いに結合した木材からなる複数の柱と複数の梁を骨格として有する建築物であって、
前記結合する全部又は一部の木材の一方に、
中央に表裏貫通した孔部若しくは固定に使用する連結棒の固定手段を設けた底壁部と、当該底壁部の外縁全周に亘って立設した側壁部を有する装着部と、当該装着部に対して立設した締結に使用する連結用のピンを固定位置まで案内する溝と、締結に使用する軸部材を挿通させ支持する孔を有した受け板部を有した木材連結用の受け金具を、結合する一方の木材の表面に形成した凹部に装着するとともに、
結合する他方の木材に、前記受け板部を挿通させるスリットを形成するとともに、当該スリット内を横断するように前記溝に案内されるピンを懸架し、
前記スリットに挿通させた受け板部の孔に挿通させる軸部材を設けたことを特徴とする建築物。
【発明の詳細な説明】
【技術分野】
【０００１】
本発明は、連結用受け金具、木材の連結方法、建築物の施工方法、連結用受け金具の製造方法および建築物に関するものである。
【背景技術】
【０００２】
家屋等の建物を建築する際、在来工法では柱や梁などを結合して家屋の骨組みを作ることが行われる。この柱や梁によって形成される骨格は、家屋を構成する屋根、壁その他の構成部材が有する荷重を支え、地震による揺れにも耐える必要がある。そのため、主として角材で構成されるが柱や梁の結合箇所には、これらの荷重に耐える結合力が必要である。そして、このような強度を有する木材の結合方法として、特許文献１に記載したような金具を使用した木材接合装置がある。
【０００３】
特許文献１記載の木材の接合装置は、結合する木材の一方に取り付けたコ字状金具と、このコ字状金具と係合するように加工した木材に挿通させたドリフトピンを係合させるものである。特許文献１に記載したコ字状金具は、取り付ける木材の側面に凹溝を形成する必要があり、この凹溝の下端面によってコ字状金具に作用する荷重を支えるようになっている。また、強度のある金具は、一般的に溶接やカシメ等によって複数部品を結合した作る場合が多く、製造コストが高いという問題があった。
【先行技術文献】
【特許文献】
【０００４】
【特許文献１】特開２００８−２０２３９２号公報
【発明の概要】
【発明が解決しようとする課題】
【０００５】
上述したコ字状金具の取り付けには、木材の側面全体に亘って一本の溝を掘らなければならないが、溝を掘るために木材を削る量が不必要に多くなると木材の強度を低下させてしまうことになる。本発明は、当該事情に鑑み発明したものであって、最小限の木材の切削量で取り付けることが可能な連結用受け金具の提供、木材の連結方法および建築物等を提供することを課題とするものである。
また、所定の強度を有しつつ、安価に製造することができる連結用受け金具の提供を課題とするものである。
【課題を解決するための手段】
【０００６】
上記課題を解決するために本発明は以下の構成を有する。すなわち、木材連結用の受け金具であって、
木材の表面に設けた凹部に装着される装着部と、当該装着部に対して立設した受け板部を有し、前記装着部は、中央に表裏貫通した孔部を設けた底壁部と当該底壁部の外縁全周に亘って立設した側壁部を有し、前記受け板部は、締結に使用する連結用のピンを固定位置まで案内する溝と、締結に使用する軸部材を挿通させる孔を有したことを特徴とする。
【０００７】
また、本発明は木材連結用の受け金具であって、
木材の表面に設けた凹部に装着される装着部と、当該装着部に対して立設した受け板部を有し、前記装着部は、底壁部と当該底壁部の外縁全周に亘って立設した側壁部を有したものであって、底壁部は木材の反対側から貫通孔を介して突出させた連結棒の先端を固定する固定手段を設けたものであり、前記受け板部は、締結に使用する連結用のピンを固定位置まで案内する溝と、締結に使用する軸部材を挿通させる孔を有したことを特徴とする。
【０００８】
また、建築物の施工方法であって、
木材の連結に請求項１乃至請求項３の何れか一項に記載の連結用の受け金具を用いたことを特徴とする建物の軸組工法若しくは枠組壁工法を用いたことを特徴とする。
【０００９】
また、本発明は、所定形状に打ち抜いた金属板を、プレス加工によって折り曲げることにより形成する木材連結用の受け金具の製造方法であって、
前記打ち抜いた金属板を山折りに折り曲げて重ね合わせることにより板状の受け板部を形成可能とし、
前記受け板部に連続する部位をプレス加工することによって、木材に形成した凹部に装着可能な筒状の装着部を形成可能としたことを特徴とする連結用受け金具の製造方法。
【００１０】
また、本発明は木材の連結方法であって、
中央に表裏貫通した孔部若しくは固定に使用する連結棒の固定手段を設けた底壁部と、当該底壁部の外縁全周に亘って立設した側壁部を有する装着部と、当該装着部に対して立設した締結に使用する連結用のピンを固定位置まで案内する溝と、締結に使用する軸部材を挿通させ支持する孔を有した受け板部を有した木材連結用の受け金具を、結合する一方の木材の表面に形成した凹部に装着するとともに、
結合する他方の木材に、前記受け板部を挿通させるスリットを形成するとともに、当該スリット内を横断するように前記溝に案内されるピンを懸架し、
前記スリットに挿通させた受け板部の孔に挿通させる軸部材を設けたことを特徴とする。
【００１１】
また、本発明は、
互いに結合した木材からなる複数の柱と複数の梁を骨格として有する建築物であって、
前記結合する全部又は一部の木材の一方に、
中央に表裏貫通した孔部若しくは固定に使用する連結棒の固定手段を設けた底壁部と、当該底壁部の外縁全周に亘って立設した側壁部を有する装着部と、当該装着部に対して立設した締結に使用する連結用のピンを固定位置まで案内する溝と、締結に使用する軸部材を挿通させ支持する孔を有した受け板部を有した木材連結用の受け金具を、結合する一方の木材の表面に形成した凹部に装着するとともに、
結合する他方の木材に、前記受け板部を挿通させるスリットを形成するとともに、当該スリット内を横断するように前記溝に案内されるピンを懸架し、
前記スリットに挿通させた受け板部の孔に挿通させる軸部材を設けたことを特徴とする。
【発明の効果】
【００１２】
本発明に係る木材連結用の受け金具および木材の連結方法は、木材締結用の金具として、筒状の外周壁を有する装着部を木材表面に形成した凹部に嵌装着することを特徴としている。
このような構造により、金具の取付に必要な木材の切削量が最小限であることから木材自体の強度を低下させることはなく、金具の取付部位に荷重を集中させずに分散させる構造になっている。このため、締結部において破損しにくい木材の係合部位を構成することができるという効果を有している。
また、本発明に係る木材連結用の受け金具は、一枚の金属板から溶接等を要すること無く形成することが出来るものである。このため、装着部を中実体ではなく有底の筒状体として形成でき、ほぼ同一の強度を有する中実体として装着部を形成した場合と比較して軽量に形成することが出来るという効果を有している。また、ドリフトピン等を直接支持する受け板部を、折り曲げて重ね合わせた板状の部分によって形成しているので、薄くても強度のある受け板部を形成することができるという効果を有している。
【図面の簡単な説明】
【００１３】
【図１】本実施の形態に係る連結用受け金具の説明図である。
【図２】受け金具の製造工程に関する説明図である。
【図３】木材に対する受け金具の装着例を表した説明図である。
【図４】木材に受け金具を装着した状態の説明図である。
【図５】受け金具を取り付けた柱に対して梁を取り付ける場合の説明図である。
【図６】受け金具に作用する力のイメージを表した説明図である。
【図７】受け金具を固定する取付金具の一例を表した説明図である。
【図８】連結棒の他の実施例を表した説明図である。
【図９】連結棒のさらに他の実施例を表した説明図である。
【発明を実施するための形態】
【００１４】
以下、本発明を実施するための形態について図を用いて説明する。
図１は本発明を実施するための形態に係る連結用受け金具（以下「受け金具」という）１の説明図であり、図１(ａ)は側面図を表し、図１(ｂ)は外観斜視図を表している。
受け金具１は、木材に対する装着部２と、この装着部に対して立設した受け板部３によって構成された鉄製の金具である。装着部２は、中央に表裏貫通した孔(孔部)４を設けた底壁(底壁部)５と当該底壁部５の外縁全周に亘って立設した側壁(側壁部)６を有した、高さの低い有底筒状に形状した部位である。
【００１５】
受け板部３には、一例として後述するドリフトピンを誘い入れて支える一端が開口した溝７と、ボルト等の連結ピンを挿通させるための孔８を設けている。
図２は、受け金具１の構造を説明するために、その製造工程を表したものである。第１の工程として、鉄、ステンレス等の鋼板を図２（ａ）に示した形状にプレス型によって型抜きする。本実施の形態では、１．６ｍｍの鉄製の板を使用する。型抜きされた原板９は左右対称形状であり、両端部に扇型部１０、１０を形成している。
【００１６】
次いで図２（ｂ）に示すように、プレス加工によって扇型部１０、１０の周囲を板面に対して略直角に折り曲げ、半円形の周壁１１、１１を形成する。さらに図２（ｃ）に示すように、前記の工程によって形成した半円形の周壁１１、１１を、原板９の板面に対して直角に屈曲させる。
この周壁１１、１１を屈曲させた原板９を、中央線Ｃにおいて山折りに折り曲げることで、重ね合わせた板状の部分によって受け板部３を構成する図１に示す受け金具１が形成される。この際、各半円形の周壁１１、１１が実質的に一つになって円形の側壁６を形成し、底壁(底壁部)５を有する筒状体を構成する。
【００１７】
また、本実施の形態に係る受け金具１は、前述した通り底壁部５に孔４を有している。この孔４は、図２（ａ）に示した原板９のヌキ部分１２によって形成される。扇型部１０の中心付近に形成した矩形のヌキ部分１３が、底壁部５の中心付近に形成される孔４になる。
また、中央付近の孔４に相当するヌキ部分１３以外のヌキ部分（砲弾型のヌキ部分）１４は、後に受け金具１の取り付けに使用する連結手段（連結棒）の端部との干渉を避けるための切り欠き部位として使用される。なお、孔４（ヌキ部分１３）は、孔４を挿通させる連結手段の形状によって、円形の穴や他の形状に形成しても差し支えない。
【００１８】
前述の工程によって形成した本実施の形態に係る受け金具１は、円形の外周壁（側壁６）を有する装着部２の底壁部５の中央から、受け板部３を垂直に立設した構造を有している。受け板部３は、装着部２の中心から先端までの長さＬが略同一の当接縁部１５を有している。当該当接縁部１５は、受け金具１を柱等の木材に装着した際に、切削等の加工をしていない木材の表面に当接することにより、受け板部３が支えた荷重に伴って生じる回転モーメントに対抗するようになっている。
また、受け金具１は、個別に形成した複数の部品をカシメや溶接等によって結合して組み立てるものとは異なり、一枚の金属版によって形成可能である。このため、安価に雪像できるという特徴を有している。
【００１９】
図３および図４は、木材である柱Ｖに受け金具１を装着する場合の説明図である。図３および図４に示した例は、一例として柱Ｖの側面の表裏にそれぞれ受け金具１を装着する場合を示している。受け金具１の装着には、取り付ける木材の表面に予め円形の凹部である座堀１６を形成する。
座堀１６の内面形状は、装着部２の外径形状に合わせて形成される。すなわち、装着部２の外径が座堀１６の内面形状と密に接するように形成される。座堀１６の深さは、座堀１６に対して装着部２を埋設するように嵌装した際に、当接縁部１５が柱Ｖの側面に対して当接する深さに調節される。
また、座堀１６の中央には連結手段（連結棒）１７を挿通させるための貫通孔１８が形成される。
【００２０】
受け金具１は、座堀１６に嵌挿した装着部２を装着した後、貫通孔１８の他端側より差し入れた連結棒１７の先端部に固定することによって、引き抜きに耐え得る強度を有し、抜け落ちるのを防止するようになっている。
図４に示した連結棒１７はアイスキャンディースティック状の細い平板によって形成したものである。この連結棒１７の端部からやや中央よりの部分には、中心部の所定幅を残すように長手方向と直交する方向に亘って一対の溝１９、１９が形成されている。この溝１９、１９部分に二股状の一対の差し込み部２０，２０を有する楔体２１を装着することによって、連結棒１７と受け金具１を結合するようになっている。
【００２１】
上記の例では木材の表裏に装着した双方の受け金具１が、連結棒１７を介して接続される。すなわち、一方の受け金具１が、連結棒１７を介して他方の受け金具１の固定手段を兼ねるようになっている。連結棒１７は、受け金具１を木材Ｖ方向に引っ張る作用を有し、受け金具１を引き抜く方向に働く荷重に対抗して受け金具１を保持する作用を有している。
【００２２】
図５（ａ）、図５（ｂ）は、受け金具１を取り付けた柱Ｖに対して梁Ｈを取り付ける場合を表した説明図である。図５（ａ）に示すように、受け金具１を取り付けた柱Ｖに対して梁Ｈを取り付けるには、梁Ｈに対して受け金具１の受け板部３に形成した溝７と係合するドリフトピン２６、孔８に挿通させるボルト２２等の連結ピンを装着する。
【００２３】
柱Ｖに当接させる梁Ｈの端面には、上下方向に亘って受け金具１の受け板部３を受け入れるスリット２３を形成する。
また、梁Ｈにはスリット２３を横断して貫通する貫通孔２４を設け、この貫通孔２４に打ち込むことでドリフトピン２６を装着する。ドリフトピン２６は貫通孔２４との嵌め合い摩擦により梁Ｈに保持される。また、スリット２３を横断して貫通する貫通孔２５を設け、この貫通孔２５に対して先端にネジ部、他端に六角柱状の頭部を設けたボルト２２を装着する。
【００２４】
上記ボルト２２を取り付けるための金具として、梁Ｈの両側面にそれぞれ取付金具２７、２７を取り付けるようになっている。各取付金具２７の取り付けには、取付部位となる木材の表面に座堀２８を形成する。座堀２８は、木材の表面から所定の深さに形成した凹みである。座堀２８の内部形状は取付金具２７の外形形状と略同一に形成されており、取付金具２７が丁度よく嵌まるようになっている。
なお、座堀２８の深さについては、取付金具２７の外周面の高さよりも僅かに深く形成されるのが望ましい。
【００２５】
本実施の形態では取付金具２７の外周形状は高さの低い有底の筒状体として形成している。このため、座堀２８の内面形状は、取付金具２７の外周形状に合わせて円筒状の凹部として形成している。なお、取付金具２７の外周形状が角筒形状であるならば、座堀２８の内面形状も角筒形状に形成し、嵌め込むように取付金具２７を埋設する。また、座堀２８の底面２９は取付金具２７の底壁３０全体が接触可能となるように平面状に形成されている。
梁Ｈに対するボルト２２の装着は、ボルト２２の挿入側から取付金具２７、座堀２８、貫通孔２５、座堀２８、取付金具２７を経由して先端のネジ部を突出させ、これにナット３１を螺合させることで行う。
【００２６】
柱Ｖに梁Ｈを取り付ける場合、図５（ｂ）に示すように、梁Ｈのスリット２３内に受け金具１の受け板部３を挿入させ、この状態で受け板部３にドリフトピン２６およびボルト２２を懸架させるようになっている。
受け金具１の受け板部３には、上方に向かって開口した溝７と、孔８を設けている。溝７はドリフトピン２６を収容できる程度の幅を有しており、梁Ｈに挿通させたドリフトピン２６を受け入れて支えるようになっている。孔８は、ボルト２２の軸部を挿通させることができる程度の直径を有しており、梁Ｈに挿通させたボルト２２の軸部を支えるようになっている。
【００２７】
柱Ｖに梁Ｈを取り付ける際には、予め梁Ｈに対してドリフトピン２６のみを取り付けておく。ドリフトピン２６を打ち込むとスリット２３内を横断しているので、受け金具１の受け板部３を上部から覆うようにスリット２３を嵌め付けると、ドリフトピン２６が受け板部３の溝７内に入り溝７内の底端部で支持される。すなわち、柱Ｖの受け金具１に対してドリフトピン２６を介して梁Ｈを載せる状態になる。これにより、梁Ｈを落下させずに柱Ｖに支持するようになる。
【００２８】
次いで、ドリフトピン２６によって梁Ｈを支持させた後、梁Ｈの貫通孔２５と受け金具１の孔８にボルト２２を挿通させて固定する。
取付金具２７を使用して木材にボルト２２を固定すると、ボルト２２は取付金具２７、２７によって両端が支持され、梁Ｈの自重等の荷重が取付金具２７、２７を介してボルト２２の両端部に作用するようになる。また、受け金具１はスリット２３の内部で、梁Ｈの荷重が集中するボルト２２の軸部中間を支え、これにより柱Ｖに対して梁Ｈを取り付けることになる。
【００２９】
梁Ｈの荷重を支える場合、取付金具２７を設けることなく軸部材のみで荷重を支えると、梁Ｈ（貫通孔２５内部）とボルト２２の軸部の接触面積が少ないので、梁Ｈに作用するせん断応力が高くなる。換言するならば、ボルト２２の軸部と貫通孔２５が接触する細い接線によって大きな荷重を支えるイメージである。
一方、取付金具２７、２７は軸部のように木材に対して局所的に接するのではなく、広い面として接触することができるので、梁Ｈとの接触部位に作用するせん断応力が低くなる。せん断応力が低くなるということは、支えられる荷重が増すということであり、荷重に対する強度が増すことを意味する。
【００３０】
木材に対するせん断応力を小さくするには、木材を支える軸部材等を太くする等して接触面積を大きくすればよい。しかしながら、軸部材を太くするということは木材を削る量が多くなることである。木材を削る量が多くなると、木材自体の強度が低くなってしまうので、削る量は最小限にするのが望ましい。このような観点から、ボルト２２の両端部に最小限の座堀部を設け、この座堀の内面に接触する形の取付金具２７を設けている。
【００３１】
図６は、柱Ｖの受け金具１に作用する力のイメージを表した説明図である。受け金具１に梁Ｈ（ドリフトピン２６およびボルト２２）を取り付けると、梁Ｈの重量Ｗは装着部２の外周面を介して柱Ｖの座堀１６内面に荷重Ｗｙとして作用する。荷重Ｗｙは、梁Ｈの自重に加えて建物を構成する屋根、壁、床等の建物を構成する各種の荷重が複合したものである。
受け金具１は、このように大きな荷重を支えなければならないが、受け金具１を装着する部位を円形の凹部である座堀１６として切削加工し、この座堀１６の内面によってこの大きな荷重を支えるようになっている。
【００３２】
受け金具１を装着する座堀１６は、最適な例として円形の凹部であることを特徴とする。すなわち、木材の切削量が少なく、かつ切削した部位を未切削の部分によって取り囲み補強する作用を有するので、強度を高めることができ荷重を受けても崩壊しにくくなっている。また、荷重を受ける部分が円周の内面であり、一箇所に荷重が集中することがない。これにより、荷重を受けても崩壊しにくいものとなっている。
【００３３】
梁Ｈの重量Ｗは、前述した座堀１６の内周面に対して直角に作用する成分の荷重Ｗｙの他に、受け金具１を引き抜こうとする方向の荷重Ｗｘとしても作用する。この引き抜き方向の荷重Ｗｘに対抗するのは、装着部２に対して楔体を使用して取り付けられる連結棒１７による引っ張り力である。
図示した例では、連結棒１７は他方の受け金具１が有する装着部２に取り付けられており、これにより一方の受け金具１を保持し引き抜きに耐えることが出来るようになっている。
【００３４】
なお、受け金具１を一つしか使用しない場合には、装着部２に近似した形状の取付金具を使用する。この取付金具は、実質的にボルト２２の取付に使用する取付金具２７と同様の形状であり、使用する連結棒１７の形状、構造に合わせて中心部の孔の形状を異ならせたものである。
【００３５】
例えば、図７は受け金具１を固定する取付金具の一例を表している。取付金具３９は取付金具２７と同様に高さの低い円筒状の外周壁を有する有底の筒状体として形成している。そして、底壁部の中央には連結棒１７を挿通させることができる矩形の孔４０を設けている。取付金具３９を使用する際には、外周形状に合わせた座堀に装着したのちに連結棒１７を差し込み、受け金具１に固定した後に楔体３８を用いて取付金具３９に連結棒１７を固定する。このようにすることで、木材の両面ではなく一つの側面のみに対して受け金具１を取り付けることが出来るようになっている。
【００３６】
図８は、連結棒の他の実施例を表している。同図に表した連結棒４１は、軸部分４２が円柱状の丸棒体であり、両端部４３を平板状に形成したものである。この連結棒４１の使い方は前述した連結棒１７と同様であり、前述した矩形形状の孔４０を有した取付金具３９とともに使用して楔体３８によって固定することが可能である。
【００３７】
図９（ａ）、図９（ｂ）は、連結棒の他の実施例を表している。図９（ａ）に表した連結棒４５は、軸部分４６を円柱状の丸棒体として形成し、先端４７を平板状に形成し、基端部外周に雄ねじ部４８を形成したものである。また、軸部分４６と先端４７との境界部分に前述した楔体２１、楔体３８と嵌合可能な溝４９を形成している。
この連結棒４５の取り付けには、前述した取付金具３９および他の取付金具５０を使用する。取付金具５０には、基端部に形成した雄ねじ部４８と螺合可能な雌ねじ部５１を形成しており、取付金具５０の雌ねじ部５１に対して連結棒４５の雄ねじ部４８を螺合させることにより両者を結合させることができるようになっている。
受け金具１の取付手段としてこのような取付金具５０に螺合させた連結棒４５を用いることが可能である。
【００３８】
以上説明した実施例では、垂直の柱に取付金具を装着し、この取付金具を使用して水平に配置した梁を装着する場合について説明した。しかしながら、このような例に限らず、コンクリート基礎の上に配置した土台を形成する角材の上に複数本の柱を立てるような場合にも使用することができる。この場合、土台に本発明の取付金具を装着し、柱の端面に取り付けたドリフトピンやボルトによって両者を固定するようにする。
木材を用いた建築物の施工方法には軸組工法や枠組壁工法と呼ばれるものがある。これら何れの工法にも、上記各例において説明した連結用の受け金具を用いることが可能である。
【００３９】
また、上記の実施例では装着部に対して楔によって連結棒等を固定する方法場合について説明したが、装着部にナットを固定し連結棒の代わりにボルトによって受け金具を固定する方法を採用してもよい。このように、各部材の固定方法や構造は一つの手段に限定されることはない。
以上説明した各実施例は、建築物を構成する柱や梁の結合に利用可能である。また、特許請求の範囲を逸脱しない範囲内において適宜組み合わせることが可能であり、本発明が上記実施例に限定したものでないことは言うまでも無い。
【産業上の利用可能性】
【００４０】
本発明は、連結用受け金具、木材の連結方法および建築物に利用可能である。
【符号の説明】
【００４１】
１      受け金具
２      装着部
３      受け板部
４      孔
５      底壁部
６      側壁
７      溝
８      孔
９      原板
１０    扇型部
１１    周壁
１２    ヌキ部分
１３    ヌキ部分
１５    当接縁部
１６    座堀
１７    連結棒
１８    貫通孔
１９    溝
２０，２０      差し込み部
２１    楔体
２２    ボルト
２３    スリット
２４    貫通孔
２５    貫通孔
２６    ドリフトピン
２７    取付金具
２８    座堀
２９    底面
３０    底壁
３１    ナット
３８    楔体
３９    取付金具
４０    孔
４１    連結棒
４２    軸部分
４３    両端部
４５    連結棒
４６    軸部分
４７    先端
４８    部
４９    溝
５０    取付金具
５１    雌ねじ部
【図１】
2018012935.tif 000003
【図２】
2018012935.tif 000004
【図３】
2018012935.tif 000005
【図４】
2018012935.tif 000006
【図５】
2018012935.tif 000007
【図６】
2018012935.tif 000008
【図７】
2018012935.tif 000009
【図８】
2018012935.tif 000010
【図９】
2018012935.tif 000011